(57)【要約】【課題】絶縁シャッタによる絶縁バリア効果を高め、且つ小型化が可能な配電盤を提供する。【解決手段】遮断器の夫々の端子を貫通させ得る複数個の貫通孔を前記所定の方向に配列して備えたシャッタを有し、このシャッタが第１の位置にあるときは夫々の貫通孔がブッシングの開口部に対向することによりその開口部を開放し、シャッタが第１の位置から前記所定の方向に対して直交する方向に移動した第２の位置にあるときは、貫通孔の設けられていない部位が夫々のブッシングの開口部に対向してその開口部を遮蔽するように構成される。【選択図】図１
2008295124.tif 000002
【特許請求の範囲】
【請求項１】
母線を設置した母線室と、遮断器を移動可能に収容する遮断器室と、前記母線室と前記遮断器室とを仕切る隔壁に固定され開口部を有する内部空間を備えたブッシングと、前記母線に接続され前記ブッシングの内部空間内に露出した接続導体と、前記ブッシングの開口部を遮蔽し得るように構成された絶縁物性のシャッタとを備え、前記遮断器は、前記ブッシング側に移動することによりその端子が前記内部空間に挿入されて前記接続導体に接続され、反ブッシング側に移動することにより前記端子が前記ブッシングの内部空間から離脱して前記接続導体との接続が解かれ、前記シャッタは、前記遮断器の端子が前記ブッシングの内部空間に挿入されるとき及び挿入されているときには前記開口部を開放し、前記遮断器の端子が前記ブッシングの内部空間から離脱しているときには前記開口部を遮蔽するよう構成された配電盤であって、前記ブッシングは、間隔を介して所定の方向に複数個配列され、前記遮断器の端子は、前記夫々のブッシングに設けられた前記接続端子に夫々対応して複数個配置され、前記シャッタは、前記遮断器の夫々の端子を貫通させ得る複数個の貫通孔を前記所定の方向に配列して備えると共に、第１の位置にあるときは前記夫々の貫通孔が前記夫々の開口部に対向することにより前記開口部を開放し、前記第１の位置から前記所定の方向に対して直交する方向に移動した第２の位置にあるときは前記貫通孔の設けられていない部位が前記夫々のブッシングの開口部に対向して前記開口部を遮蔽するように構成されたことを特徴とする配電盤。
【請求項２】
前記シャッタが前記第２の位置にあって前記開口部を遮蔽する前記部位は、前記複数個の貫通孔が配列された位置から前記所定の方向に対して直交する方向の位置にある部位であることを特徴とする請求項１に記載の配電盤。
【請求項３】
前記所定の方向は、前記配電盤の水平方向であることを特徴とする請求項１に記載の配電盤。
【請求項４】
母線を設置した母線室と、遮断器を移動可能に収容する遮断器室と、前記母線室と前記遮断器室とを仕切る隔壁に固定され開口部を有する内部空間を備えたブッシングと、前記母線に接続され前記ブッシングの内部空間内に露出した接続導体と、前記ブッシングの開口部を遮蔽し得るように構成された絶縁物性のシャッタとを備え、前記遮断器は、前記ブッシング側に移動することによりその端子が前記内部空間に挿入されて前記接続導体に接続され、反ブッシング側に移動することにより前記端子が前記ブッシングの内部空間から離脱して前記接続導体との接続が解かれ、前記シャッタは、前記遮断器の端子が前記ブッシングの内部空間に挿入されるとき及び挿入されているときには前記開口部を開放し、前記遮断器の端子が前記ブッシングの内部空間から離脱しているときには前記開口部を遮蔽するよう構成された配電盤であって、前記ブッシングは、間隔を介して所定の方向に複数個配列され、前記遮断器の端子は、前記夫々のブッシングに設けられた前記接続端子に夫々対応して複数個配置され、前記シャッタは、前記遮断器の夫々の端子を貫通させ得る複数個の貫通孔を前記所定の方向に配列して備えると共に、第１の位置にあるときは前記夫々の貫通孔が前記夫々の開口部に対向することにより前記開口部を開放し、前記第１の位置から前記所定の方向に移動した第２の位置にあるときは前記貫通孔の設けられていない部位が前記夫々のブッシングの開口部に対向して前記開口部を遮蔽するように構成したことを特徴とする配電盤。
【請求項５】
前記シャッタが前記第２の位置にあって前記開口部を遮蔽する前記部位は、少なくとも前記配列された複数個の貫通孔の間に位置する部位であることを特徴とする請求項4に記載の配電盤。
【請求項６】
前記所定の方向は、前記配電盤の水平方向であることを特徴とする請求項4に記載の配電盤。
【発明の詳細な説明】
【技術分野】
【０００１】
この発明は、内部に収納したブッシングの開口部を開閉するシャッタを備えた配電盤に関するものである。
【背景技術】
【０００２】
周知のように、配電盤は、遮断器を収納する遮断器室と、電源の相に対応した複数の母線（以下、単に母線と称する）が配置された母線室とを備え、母線室と遮断器室とを仕切る隔壁に複数のブッシングを固定している。夫々のブッシングは、内部空間を備えており、対応する母線に接続された導体を固定すると共に、その内部空間内に母線に接続された導体を露出させている。遮断器室に収納される遮断器は、遮断器室内でブッシングの方向に移動することにより対応するブッシングの内部空間内でその露出した導体に端子が係合して電気的に接続され、又、遮断器室内でブッシングから離れる方向に引出されることにより夫々の端子が対応する導体との係合が解かれて母線に接続された導体から切り離される。
【０００３】
又、配電盤には、通常、ブッシングの内部空間の開口部を遮蔽し得る絶縁シャッタが設けられており、遮断器が引出されてその端子がブッシングの内部空間から引出されているときは、その絶縁シャッタによりブッシングの開口部を遮蔽して、内部空間内に露出している導体とブッシングを固定している隔壁等との間を絶縁し、感電等の事故を防ぐように構成されている。
【０００４】
絶縁シャッタは、ブッシングの内部空間の開口部を遮蔽する位置とその遮蔽を解除する位置との間で移動するよう構成されるが、絶縁シャッタをロッドにより回動自在に支持しそのロッドの回りに回動させることで絶縁シャッタの移動を行うようにした構成（例えば、特許文献１参照）等が提案されている。
【０００５】
【特許文献１】特開２０００−２６１９１８号公報
【発明の開示】
【発明が解決しようとする課題】
【０００６】
特許文献１に示された従来のシャッタ構造を備えた配電盤の場合、遮断器の接続時に遮断器の充電部とブッシングを保持する隔壁等の接地部間に一定の絶縁距離が必要になり、遮断器の端子を長くすることが必要であり、遮断器及び配電盤の小型化には限界があった。
【０００７】
この発明は、従来の配電盤に於ける前述のような課題を解決するために成されたもので、絶縁シャッタによる絶縁バリア効果を高め、且つ小型化が可能な配電盤を提供することを目的とする。
【課題を解決するための手段】
【０００８】
この発明による配電盤は、母線を設置した母線室と、遮断器を移動可能に収容する遮断器室と、前記母線室と前記遮断器室とを仕切る隔壁に固定され開口部を有する内部空間を備えたブッシングと、前記母線に接続され前記ブッシングの内部空間内に露出した接続導体と、前記ブッシングの開口部を遮蔽し得るように構成された絶縁物性のシャッタとを備え、前記遮断器は、前記ブッシング側に移動することによりその端子が前記内部空間に挿入されて前記接続導体に接続され、反ブッシング側に移動することにより前記端子が前記ブッシングの内部空間から離脱して前記接続導体との接続が解かれ、前記シャッタは、前記遮断器の端子が前記ブッシングの内部空間に挿入されるとき及び挿入されているときには前記開口部を開放し、前記遮断器の端子が前記ブッシングの内部空間から離脱しているときには前記開口部を遮蔽するよう構成された配電盤であって、前記ブッシングは、間隔を介して所定の方向に複数個配列され、前記遮断器の端子は、前記夫々のブッシングに設けられた前記接続端子に夫々対応して複数個配置され、前記シャッタは、前記遮断器の夫々の端子を貫通させ得る複数個の貫通孔を前記所定の方向に配列して備えると共に、第１の位置にあるときは前記夫々の貫通孔が前記夫々の開口部に対向することにより前記開口部を開放し、前記第１の位置から前記所定の方向に対して直交する方向に移動した第２の位置にあるときは前記貫通孔の設けられていない部位が前記夫々のブッシングの開口部に対向して前記開口部を遮蔽するように構成される。
この発明による配電盤は、より具体的には、前記シャッタが前記第２の位置にあって前記開口部を遮蔽する前記部位は、前記複数個の貫通孔が配列された位置から前記所定の方向に対して直交する方向の位置にある部位で構成される。又、前記所定の方向は、設置された前記配電盤に於ける水平方向であるように構成される。
【０００９】
又、この発明による配電盤は、母線を設置した母線室と、遮断器を移動可能に収容する遮断器室と、前記母線室と前記遮断器室とを仕切る隔壁に固定され開口部を有する内部空間を備えたブッシングと、前記母線に接続され前記ブッシングの内部空間内に露出した接続導体と、前記ブッシングの開口部を遮蔽し得るように構成された絶縁物性のシャッタとを備え、前記遮断器は、前記ブッシング側に移動することによりその端子が前記内部空間に挿入されて前記接続導体に接続され、反ブッシング側に移動することにより前記端子が前記ブッシングの内部空間から離脱して前記接続導体との接続が解かれ、前記シャッタは、前記遮断器の端子が前記ブッシングの内部空間に挿入されるとき及び挿入されているときには前記開口部を開放し、前記遮断器の端子が前記ブッシングの内部空間から離脱しているときには前記開口部を遮蔽するよう構成された配電盤であって、前記ブッシングは、間隔を介して所定の方向に複数個配列され、前記遮断器の端子は、前記夫々のブッシングに設けられた前記接続端子に夫々対応して複数個配置され、前記シャッタは、前記遮断器の夫々の端子を貫通させ得る複数個の貫通孔を前記所定の方向に配列して備えると共に、第１の位置にあるときは前記夫々の貫通孔が前記夫々の開口部に対向することにより前記開口部を開放し、前記第１の位置から前記所定の方向に移動した第２の位置にあるときは前記貫通孔の設けられていない部位が前記夫々のブッシングの開口部に対向して前記開口部を遮蔽するように構成されるものである。
この発明による配電盤は、より具体的には、前記シャッタが前記第２の位置にあって前記開口部を遮蔽する前記部位は、少なくとも前記配列された複数個の貫通孔の間に位置する部位で構成される。又、前記所定の方向は、設置された前記配電盤に於ける水平方向であるように構成される。
【発明の効果】
【００１０】
この発明による配電盤によれば、ブッシングは、間隔を介して所定の方向に複数個配列され、遮断器の端子は、前記夫々のブッシングに設けられた接続端子に夫々対応して複数個配置され、シャッタは、前記遮断器の夫々の端子を貫通させ得る複数個の貫通孔を前記所定の方向に配列して備えると共に、第１の位置にあるときは前記夫々の貫通孔が前記夫々の開口部に対向することにより前記開口部を開放し、前記第１の位置から前記所定の方向に対して直交する方向に移動した第２の位置にあるときは前記貫通孔の設けられていない部位が前記夫々のブッシングの開口部に対向して前記開口部を遮蔽するように構成されているので、ブッシングの開口部の開放はシャッタの貫通孔により行われ、遮断器の端子が接続導体に接続されているときにも開口部は遮断器の端子を貫通させる必要最小限の貫通孔により行われる。従って、シャッタによる絶縁バリア効果を高めることができ、遮断器の充電部とブッシングを保持する隔壁等の接地部との間に距離を縮小することができ、配電盤を小型化することができる。
【００１１】
又、この発明による配電盤によれば、ブッシングは、間隔を介して所定の方向に複数個配列され、遮断器の端子は、前記夫々のブッシングに設けられた接続端子に夫々対応して複数個配置され、シャッタは、前記遮断器の夫々の端子を貫通させ得る複数個の貫通孔を前記所定の方向に配列して備えると共に、第１の位置にあるときは前記夫々の貫通孔が前記夫々の開口部に対向することにより前記開口部を開放し、前記第１の位置から前記所定の方向に移動した第２の位置にあるときは前記貫通孔の設けられていない部位が前記夫々のブッシングの開口部に対向して前記開口部を遮蔽するように構成されているので、ブッシングの開口部の開放はシャッタの貫通孔により行われ、遮断器の端子が接続導体に接続されているときにも開口部は遮断器の端子を貫通させる必要最小限の貫通孔により行われる。従って、シャッタによる絶縁バリア効果を高めることができ、遮断器の充電部とブッシングを保持する隔壁等の接地部との間に距離を縮小することができ、配電盤を小型化することができる。
【発明を実施するための最良の形態】
【００１２】
実施の形態１．
実施の形態１に係る配電盤は、絶縁物で構成されたシャッタ（以下、絶縁シャッタと称する）に遮断器の主回路端子を貫通させる複数の貫通孔を設け、この絶縁シャッタを、配電盤の垂直方向に移動させることで、ブッシングの開口部を遮蔽又は開放するように構成したものである。以下この発明の実施の形態１に係る配電盤について、図に基づいて詳細に説明する。
【００１３】
図１は、この発明の実施の形態１に係る配電盤の主要部の断面図で、遮断器の主回路端子がブッシングの内部空間内で接続端子に係合して電気的に接続されている場合を示す。図２は、この発明の実施の形態１に係る配電盤の主要部の断面図で、遮断器の主回路端子がブッシングの内部空間から離脱して接続端子との係合が解かれている状態を示す。図３は、絶縁シャッタの平面図である。図４は絶縁シャッタの動作を説明する説明図である。
【００１４】
図１、図２に於いて、遮断器１は引出形遮断器で構成され、配電盤１００の遮断器室２内で配電盤１００の水平方向に移動可能に設けられている。遮断器１は、電源側の主回路端子１１と負荷側の主回路端子１２を備えている。
【００１５】
電源側の主回路端子１１、及び負荷側の主回路端子１２は、夫々三相の各相に対応して３個ずつ設けられ、夫々、図１の垂直方向に配列されている。又、遮断器１の電源側の主回路端子１１及び負荷側の主回路端子１２の先端部には、後述する電源側の接続導体３の露出端部３１及び負荷側の接続端子４の露出端部４１に夫々係合して電気的に接続される係合部１１１及び１２１を備えている。
【００１６】
配電盤１００の側面板５は、配電盤１００の枠体（図示せず）に固定されている。隔壁６は、端部が側面板５に固定され、遮断器室２と三相の電源母線（図示せず）を配置した母線室７とを仕切っている。電源側のブッシング８は、三相の各相に対応して３個設けられ、隔壁６の開口部６１に、基部８１が複数個のボルト８２により固定されている。３個の電源側のブッシング８は、配電盤１００の所定の方向である水平方向に所定の間隔を介して直線状に配列されているが、図１、図２には、１相分の電源側のブッシング８のみが表示されている。
【００１７】
電源側のブッシング８は、内部空間８３を備え、その内部空間８３内に、頂部８４の内側に固定された電源側の接続導体３及びその露出端部３１が配置されている。電源側の接続導体３は、母線室７に収容されている電源母線に接続されている。電源側のブッシング８は、配電盤１００の母線室７内に配置され、内部空間８３の開口部８３１が遮断器１の電源側の端子１１に対向するように配置されている。
【００１８】
負荷側のブッシング９は、三相の各相に対応して３個設けられ、隔壁６の開口部６２に、基部９１が複数個のボルト９２により固定されている。負荷側のブッシング９は、内部空間９３を備え、その内部空間９３内に、頂部９４の内側に固定された負荷側の接続導体４及びその露出端部４１が配置されている。
【００１９】
負荷側の接続端子４は、負荷に接続される負荷側ケーブル（図示せず）に接続されている。負荷側のブッシング９は、配電盤１００の母線室７内に配置され、内部空間９３の開口部９３１が遮断器１の負荷側の端子１２に対向するように配置されている。３個の負荷側のブッシング９は、配電盤１００の水平方向に所定の間隔を介して直線状に配列されているが、図１、図２には、１相分の負荷側のブッシング９のみが表示されている。
【００２０】
絶縁物で構成された電源側の絶縁シャッタ２０は、電源側の３個のブッシング８の開口部８３１に対向した位置で遮断器室２内に設けられている。図３に示すように、絶縁シャッタ２０は、矩形に形成されており、その長辺に沿って等間隔に配置された３個の貫通孔２０１を備えている。これらの貫通孔２０１は、ほぼ円形をなし、絶縁シャッタ２０の短辺方向の中心位置Ｘより下方に配置されている。
【００２１】
又、これらの貫通孔２０１の夫々の中心位置の間隔は、前述の夫々の電源側のブッシング８の夫々の開口部８３１の中心位置の間隔に等しく設定されている。絶縁シャッタ２０の短辺方向の中心位置Ｘより垂直方向上部に位置する部位２０２は、後述するように電源側のブッシング８の夫々の開口部８３１を遮蔽するために用いられる。
【００２２】
絶縁物で構成された負荷側の絶縁シャッタ３０は、負荷側の３個のブッシング９の開口部９３１に対向した位置で遮断器室２内に設けられている。負荷側の絶縁シャッタ３０は、矩形に形成されており、その長辺に沿って等間隔に配置された３個の貫通孔３０１を備えている。尚、負荷側の絶縁シャッタ３０は、図３に示す電源側の絶縁シャッタ２０の構成と同一である。
【００２３】
電源側の絶縁シャッタ２０、及び負荷側の絶縁シャッタ３０は、夫々隔壁６に設置されており、図示しない駆動機構により駆動されて、後述するように第１の位置と第２の位置との間で配電盤１００の所定の方向である水平方向に対して直交する方向、即ち垂直方向に移動できるように構成されている。
【００２４】
尚、この発明の実施の形態１に係る配電盤のその他の構成は、周知の配電盤の構成と同様であるので説明を省略する。
【００２５】
以上のように構成されたこの発明の実施の形態１に係る配電盤１００に於いて、図１に示すように、遮断器１が接続導体３、４に接続されている接続位置にあるときは、電源側の絶縁シャッタ２０、及び負荷側の絶縁シャッタ３０は、夫々の貫通孔２０１、３０１が、電源側及び負荷側のブッシング８、９の開口部８３１、９３１に対向する位置にあって、これらの開口部８３１、９３１を開放している。このときの夫々の絶縁シャッタ２０、３０の位置を第１の位置と称する。
【００２６】
遮断器１の電源側及び負荷側の主回路端子１１、１２は、第１の位置にある夫々の絶縁シャッタ２０、３０の貫通孔２０１、３０１を貫通して夫々のブッシング８、９の内部空間８３、９３内に挿入され、その端部に設けられている係合部１１１、１２１が電源側及び負荷側の接続導体３、４の露出端部３１、４１に夫々係合して電気的に接続されている。
【００２７】
図４の（ａ）は、電源側の絶縁シャッタ２０が第１の位置にある状態を示し、３個の貫通孔２０１の中心を結ぶ直線Ａは、電源側の３個のブッシング８の開口部８３１の中心を結ぶ直線Ｂと一致しており、電源側のブッシング８の夫々の開口部８３１は絶縁シャッタ２０の夫々の貫通孔２０１により開放されている。
【００２８】
第１の位置にある負荷側の絶縁シャッタ３０も、図４の（ａ）に示す電源側の絶縁シャッタ２０と同一の状態にある。夫々の絶縁シャッタ２０、３０が第１の位置にあるときは、遮断器１の主回路端子１１、１２の周縁部の近傍以外は絶縁シャッタ２０、３０により遮蔽されている。
【００２９】
次に、図１に示す接続位置から遮断器１が引出され、遮断器１の夫々の主回路端子１１、１２が、接続導体３、４との接続が解かれて夫々のブッシング８、９の内部空間８３、９３から引出された位置、即ち図２に示す断路位置に移動すると、夫々の絶縁シャッタ２０、３０は、図１に示す第１の位置から配電盤１００の垂直方向に下方へ移動して夫々のブッシング８、９の開口部８３１、９３１を遮蔽する位置で停止する。このときの夫々の絶縁シャッタ２０、３０の位置を第２の位置と称する。
【００３０】
図４の（ｂ）は、電源側の絶縁シャッタ２０が第２の位置にある状態を示し、図４の（ａ）に示す第１の位置から垂直方向に下方に距離Ｌ１だけ移動して３個の貫通孔２０１の中心を結ぶ直線Ａは、電源側の３個のブッシング８の開口部８３１の中心を結ぶ直線Ｂから距離L１だけ離れた位置になる。この状態では電源側のブッシング８の夫々の開口部８３１は絶縁シャッタ２０の貫通孔が設けられていない部位２０２により遮蔽されることになる。第２の位置にある負荷側の絶縁シャッタ３０も、図４の（ｂ）に示す電源側の絶縁シャッタ２０と同一の状態となる。
【００３１】
尚、夫々の絶縁シャッタ２０、３０は、例えば遮断器１の位置に連動して、自動的に第１の位置と第２の位置との間の移動を行うように構成することは容易である。即ち、遮断器１が、第１図に示す位置から引出されて第２図の位置若しくはその近傍に到達したことを検出して、絶縁シャッタ２０、３０を図１に示す第１の位置から図２に示す第２の位置に移動させてブッシング８、９の開口部８３１、９３１を遮蔽させ、又、遮断器１を図２の位置からブッシング８、９側に移動させる動作の開始時点若しくはその移動の途中の所定位置を検出して、絶縁シャッタ２０、３０を図２に示す第２の位置から図１に示す第１の位置へ移動させて、貫通孔２０１、３０１によりブッシング８、９の開口部８３１、９３１を開放させることができる。
【００３２】
以上述べたように、この発明の実施の形態１による配電盤によれば、遮断器１が接続位置にあるときでも、主回路端子１１、１２が通過できる範囲のみが絶縁シャッタ２０、３０の貫通孔２０１、３０１により開口しているので、絶縁シャッタ２０、３０によりブッシング８、９を保持している隔壁６等の接地部を覆い、遮断器１の充電部と接地部間絶縁シャッタ２０、３０が絶縁バリアとして存在している状態となり、絶縁距離を短縮することが可能となる。従って、遮断器１の主回路端子１１、１２の長さを短かくすることができ、遮断器１の本体を小型化ができる。更に、遮断器１の接続位置と断路位置までの距離も短縮でき、配電盤１００を小型化することができる。又、絶縁シャッタ２０、３０を、配電盤の垂直方向に僅かの距離だけ移動させればよいので、絶縁シャッタ２０、３０の設置スペース等を小さくすることができる。
【００３３】
実施の形態２．
実施の形態２に係る配電盤は、絶縁物で構成されたシャッタ（以下、絶縁シャッタと称する）に遮断器の主回路端子を貫通させる複数の貫通孔を設け、この絶縁シャッタを配電盤の水平方向に移動させることで、ブッシングの開口部を遮蔽又は開放するように構成したものである。以下この発明の実施の形態２に係る配電盤について、図に基づいて詳細に説明する。尚、絶縁シャッタの構成及びその駆動機構の構成以外は、実施の形態１の構成と同様である。
【００３４】
図５は、この発明の実施の形態２に係る配電盤の絶縁シャッタの平面図、図６は絶縁シャッタの動作を示す説明図である。図５に於いて、絶縁物で構成された電源側の絶縁シャッタ２０００は、矩形状に形成されており、その短辺のほぼ中央部に中心を有する３個の貫通孔２００１が間隔を介して設けられている。これらの貫通孔２００１は、電源側の３個のブッシングの開口部に夫々対応している。
【００３５】
又、これらの貫通孔２００１相互の間隔は、ブッシングの開口部の直径にほぼ等しく形成されている。又、図の最左端に位置する貫通孔２００１の最左端と絶縁シャッタ２０００の最左端との間の間隔は、ブッシングの開口部の直径より僅かに大きく設定されている。絶縁シャッタ２０００の貫通孔２００１相互の間、及び最左端の貫通孔２００１と絶縁シャッタ２０００の最左端との間に位置する部位２００２は、後述するようにブッシングの開口部を遮蔽する機能を備える。尚、図示していない負荷側の絶縁シャッタは、電源側の絶縁シャッタ２０００と同一の構成である。
【００３６】
図１に示すように遮断器１が接続位置にあるとき、絶縁シャッタ２０００は、図６の（ａ）に示す位置にあり、このときの絶縁シャッタ２０００の位置を第１の位置と称する。絶縁シャッタ２０００が第１の位置にあるとき、その夫々の貫通孔２００１は、ブッシング８及び９の開口部８３１、９３１に対向し、これらの開口部８３１、９３１を開放している。
【００３７】
このとき、遮断器１の夫々の主回路端子１１、１２は、絶縁シャッタ２０００の貫通孔２００１を貫通してブッシング８、９の内部空間８３、９３内に挿入され、その係合部１１１、１２１が夫々の接続導体３、４の露出端部３１、４１に係合して電気的に接続されている。
【００３８】
次に、図２に示すように遮断器１が接続位置から断路位置に移動すると、絶縁シャッタ２０００は、図６の（ａ）に示す第１の位置から配電盤の所定の方向である水平方向に、距離Ｌ２だけ移動し、図６の（ｂ）に示す位置で停止する。このときの絶縁シャッタ２０００の位置を第２の位置と称する。絶縁シャッタ２０００が第２の位置にあるとき、夫々の貫通孔２００１は、ブッシング８及び９の開口部８３１、９３１から外れ、貫通孔２００１相互の間、及び最左端の貫通孔２００１と絶縁シャッタ２０００の最左端との間に位置する部位２００２により、ブッシング８、９の開口部８３１、９３１を遮蔽している。
【００３９】
尚、絶縁シャッタ２０００は、例えば遮断器１の位置に連動して、自動的に第１の位置と第２の位置との間の移動を行うように構成することは容易である。即ち、遮断器１が、第１図に示す接続位置から引出されて第２図の断路位置若しくはその近傍に到達したことを検出して、絶縁シャッタ２０００を図６の（ａ）に示す第１の位置から図６の（ｂ）に示す第２の位置に移動させてブッシング８、９の開口部８３１、９３１を遮蔽させ、又、遮断器１を図２に示す断路位置からブッシング８、９側に移動させる動作の開始時点若しくはその移動の途中の所定位置を検出して、絶縁シャッタ２０００を図６の（ｂ）に示す第２の位置から図６の（ａ）に示す第１の位置へ移動させて、貫通孔２００１によりブッシング８、９の開口部８３１、９３１を開放させることができる。
【００４０】
以上述べたように、この発明の実施の形態２による配電盤によれば、遮断器１が接続位置にあるときでも、主回路端子１１、１２が通過できる範囲のみが絶縁シャッタ２０００の貫通孔２００１により開口しているので、絶縁シャッタ２０００によりブッシング８、９を保持している隔壁６等の接地部を覆い、遮断器１の充電部と接地部間絶縁シャッタ２０００が絶縁バリアとして存在している状態となり、絶縁距離を短縮することが可能となる。従って、遮断器１の主回路端子１１、１２の長さを短かくすることができ、遮断器１の本体を小型化ができる。更に、遮断器１の接続位置と断路位置までの距離も短縮でき、配電盤１００を小型化することができる。又、絶縁シャッタ２０００を、配電盤１００の水平方向に僅かの距離だけ移動させればよいので、絶縁シャッタ２０００の設置スペース等を小さくすることができる。
【図面の簡単な説明】
【００４１】
【図１】この発明の実施の形態１に係る配電盤の主要部の断面図で、遮断器が接続位置にある状態を示す。
【図２】この発明の実施の形態１に係る配電盤の主要部の断面図で、遮断器が断路位置にある状態を示す。
【図３】この発明の実施の形態１に係る配電盤の絶縁シャッタの平面図である。
【図４】この発明の実施の形態１に係る配電盤の絶縁シャッタの動作を示す説明図である。
【図５】この発明の実施の形態２に係る配電盤の絶縁シャッタの平面図である。
【図６】この発明の実施の形態２に係る配電盤の絶縁シャッタの動作を示す説明図である。
【符号の説明】
【００４２】
１００    配電盤
１    遮断器
１１、１２    主回路端子
１１１、１２１    係合部
２    遮断器室
３、４    接続導体
３１、４１    露出端部
５    側面板
６    隔壁
６１    隔壁の開口部
７    母線室
８、９    ブッシング
８１、９１    ブッシングの基部
８３、９３    ブッシングの内部空間
８３１、９３１    ブッシングの開口部
８４、９４    ブッシングの頂部
８２、９２    ボルト
２０、３０、２０００    絶縁シャッタ
２０１、２００１    絶縁シャッタの貫通孔
２０２、２００２    絶縁シャッタの部位
【図１】
2008295124.tif 000003
【図２】
2008295124.tif 000004
【図３】
2008295124.tif 000005
【図４】
2008295124.tif 000006
【図５】
2008295124.tif 000007
【図６】
2008295124.tif 000008